(57)【特許請求の範囲】
【請求項１】
周囲を囲む筒体と、該筒体内にモ−タにより高速回転する遠心力円盤と、筒体と遠心力円盤の中間に、受け皿と該受け皿に筒体内の空気の流通路を設けて固定した飛散防止フードと、遠心力円盤上への液体流下部とよりなり、筒体は、上下に空気の流通が自在となっており、遠心力円盤は、数条のリング状の衝突壁を設けた上向き円盤と、中央部に空洞部を設け周囲に前記衝突壁を所定間隔離間して跨ぐ逆凹条体を設けた下向き円盤とを、該逆凹条体の下頂部と上向き円盤の内底面が極微小間隙となるよう固定して先端が上方に開放する遠心力による衝突蛇行流通路を形成していると共に遠心力円盤の上面に羽根を設けて上方へ送風自在とし、飛散防止フードはフード本体とフード本体の内壁面の上下方向に所定間隔ごと設けたニードル誘導体とよりなり、ニードル誘導体の下部突出部は内側に傾斜するとともに遠心力円盤の回転方向に約３０度傾斜させており、液体流下部は液体タンクから延びる流下パイプを下向き円盤の空洞部に臨ませて上向き円盤上に液体の流下を自在とした液体微粒化装置。
【発明の詳細な説明】
【０００１】
【産業上の利用分野】
本発明は乾燥防止等のための霧状物の散布、フアンヒ−タ等に使う石油の霧化・噴射、フィトンチッド（樹木が発散する芳香性物質）等液状薬品の霧化・散布等に使用する水、石油、薬品等の液体の微粒化に関するものである。
【０００２】
【従来の技術及びその欠点】
液体の微粒化に関しては、超音波方式、ノズル方式、遠心力方式があり、超音波方式にあっては液体を波動させるものであるが、液体が波動と同調してしまうので比較的極微粒化が進まず、遠くへの散布ができない等の欠点がある。
【０００３】
ノズル方式にあっては高圧装置を使用するため装置全体が高価となり、又遠心力方式にあってはモ−タの回転数が最高で毎分３０００回転が限界となり、おのずから液体の微粒化に限界が生じ、遠くへの散布ができない等の欠点がある。
【０００４】
殊に暖房器の石油フアンヒ−タにあってはタンクより石油を送るポンプ機構と、空気を圧縮しヒ−タにより加熱し流動性をよくして石油を噴射するポンプ・ノズル機構、フアンモ−タを回転する送風機構等からなっており、もって石油を霧状とし、より効率的な燃焼をさせようとしている。
【０００５】
然し乍らこのファンヒ−タは装置が複雑で高価となる等の欠点がある。
【０００６】
【発明が解決しようとする課題】
本発明はこれらの欠点を解消すべく開発されたもので、水、石油、薬品などの液体を簡単な機構により高速回転にして遠心力を増大させ、数回液滴を激突させ細分化して微粒化をはかり、かつ周囲に付着する飛沫をより効率的に誘導、噴射するようにし、より安価なヒ−タ、噴霧装置等を提供しようとするものである。
【０００７】
【課題を解決するための手段】
本発明は、周囲を囲む筒体と、該筒体内にモ−タにより高速回転する遠心力円盤と、筒体と遠心力円盤の中間に、受け皿と該受け皿に筒体内の空気の流通路を設けて固定した飛散防止フードと、遠心力円盤上への液体流下部とよりなり、筒体は、上下に空気の流通が自在となっており、遠心力円盤は、数条のリング状の衝突壁を設けた上向き円盤と、中央部に空洞部を設け周囲に前記衝突壁を所定間隔離間して跨ぐ逆凹条体を設けた下向き円盤とを、該逆凹条体の下頂部と上向き円盤の内底面が極微小間隙となるよう固定して先端が上方に開放する遠心力による衝突蛇行流通路を形成していると共に遠心力円盤の上面に羽根を設けて上方へ送風自在とし、飛散防止フードはフード本体とフード本体の内壁面の上下方向に所定間隔ごと設けたニードル誘導体とよりなり、ニードル誘導体の下部突出部は内側に傾斜するとともに遠心力円盤の回転方向に約３０度傾斜させており、液体流下部は液体タンクから延びる流下パイプを下向き円盤の空洞部に臨ませて上向き円盤上に液体の流下を自在とした液体微粒化装置である。
【０００８】
【実施例】
本発明を図示の実施例により詳細に説明すると、後述の遠心力円盤３の周囲を囲む筒体１と、該筒体１内にモ−タ２により高速回転する遠心力円盤３と、筒体１と遠心力円盤３の中間に、受け皿４と該受け皿４に筒体１内の空気の流通路５を設けて固定した飛散防止フード６と、遠心力円盤３上への液体流下部７とよりなっている。
【０００９】
筒体１は、上下に空気の流通が自在となっており、遠心力円盤３は、２条のリング状の衝突壁８、８を設けた上向き円盤９と、中央部に空洞部１０を設け周囲に前記衝突壁８、８を所定間隔離間して跨ぐ逆凹条体１１を設けた下向き円盤１２とを、該逆凹条体１１の下頂部１１’と上向き円盤９の内底面９’が１〜５／１００ｍｍ程の極微小間隙１３となるようカラー１４を介し固定して先端が上向きに開放する遠心力による衝突蛇行流通路１５（図２の二点鎖線矢印。）を形成してある。
【００１０】
筒体１には下部架体１６を設けてモ−タ２が固定され、モ−タ２の回転軸１７に遠心力円盤３が固定され、モ−タとしては高速回転が得られる整流子モ−タが望ましい。
【００１１】
遠心力円盤３の上向き円盤９と下向き円盤１２との固定は、極微小間隙１０を形成するためにカラ−１４を介して螺子１８止めするようにするとよい。
【００１２】
衝突壁８，８、逆凹条体１１、下頂部１１’によって形成される遠心力による衝突蛇行流通路１５は、微粒化液体が流通しやすい断面が流線形状とするのが望ましい。
【００１３】
飛散防止フード６はリング状のフード本体１９と、フード本体１９の内壁面の上下方向に所定間隔ごとに設けたニードル誘導体２０，２０…とよりなり、ニードル誘導体２０，２０…の下部突出部２１は内側に傾斜すると共に遠心力円盤３の回転方向に約３０度傾斜させている。回転方向への傾斜角度は３０度の前後５度の範囲内にするのが望ましく、その範囲を越える傾斜角度はニードル誘導体の液滴の誘導効果が悪くなるおそれがある。
【００１４】
液体流下部７は、図示しない液体タンクから調整ポンプ２２を介して延びる流下パイプ２３を下向き円盤１２の空洞部１０に臨ませて上向き円盤９の内底面９’上に液体の流下を自在としたものである。
【００１５】
調整ポンプ２２或は流下パイプ２３は筒体１に固定の上部架体２４に固定され、流下パイプ２３の先端は落下する液体が飛散しない距離に上向き円盤９の内底面９’に接近させて設定するのがよい。
【００１６】
遠心力円盤３における上面に羽根２５、２５…を設けて上方へ送風自在とし、、羽根の傾斜等は風速等の諸条件により適宜変える。
【００１７】
【作用】
本発明は以上のように具現されるもので、この作用を説明すると、モ−タ２を作動させると共に調整ポンプ２２を作動させて図示しない液体タンクからの液体を流下パイプ２３を通じて上向き円盤９の内底面９’上に滴下する。滴下した液体は高速回転する遠心力円盤３の遠心力・周速度の増大によって遠心力による衝突蛇行流通路１５を通過、即ち極微小間隙１３を通過して微粒化され、この微粒化された液滴は衝突壁８，８に衝突し破壊されて更に細分化され（図３の二点鎖線矢印。）て遠心力による衝突蛇行流通路１５の先端より筒体１内に放出され、極微粒化した液滴は遠心力円盤３の高速回転による旋回流によって極微粒化を維持し筒体１の上部から散布される。
【００１８】
フード本体１９の内壁面に付着した液滴はニードル誘導体によって横移動をさえぎられながら下方に流下し、羽根の旋風によって吹き上げられ、破壊されながら上昇し、噴射される。なおかつ残った液滴は受け皿４に溜まり、適宜外部に図示しないホース等により取り出すようにする。
【００１９】
【効果】
本発明は叙上のように、周囲を囲む筒体と、該筒体内にモ−タにより高速回転する遠心力円盤と、筒体と遠心力円盤の中間に、受け皿と該受け皿に筒体内の空気の流通路を設けて固定した飛散防止フードと、遠心力円盤上への液体流下部とよりなり、筒体は、上下に空気の流通が自在となっており、遠心力円盤は、数条のリング状の衝突壁を設けた上向き円盤と、中央部に空洞部を設け周囲に前記衝突壁を所定間隔離間して跨ぐ逆凹条体を設けた下向き円盤とを、該逆凹条体の下頂部と上向き円盤の内底面が極微小間隙となるよう固定して先端が上方に開放する遠心力による衝突蛇行流通路を形成していると共に遠心力円盤の上面に羽根を設けて上方へ送風自在とし、飛散防止フードはフード本体とフード本体の内壁面の上下方向に所定間隔ごと設けたニードル誘導体とよりなり、ニードル誘導体の下部突出部は内側に傾斜するとともに遠心力円盤の回転方向に約３０度傾斜させており、液体流下部は液体タンクから延びる流下パイプを下向き円盤の空洞部に臨ませて上向き円盤上に液体の流下を自在としたので、上向き円盤に滴下した液体は高速回転する遠心力円盤の遠心力・周速度の増大によって遠心力による衝突蛇行流通路を通過、即ち極微小間隙を通過して微粒化され、この微粒化された液滴は数回衝突壁に衝突し破壊されて更に細分化され（図３の二点鎖線矢印。）て遠心力による衝突蛇行流通路の先端より筒体内に放出され、極微粒化した液滴は遠心力円盤の高速回転による旋回流によって極微粒化を維持し筒体の上部から散布され、また液滴の一部は飛散防止フードに付着するが、付着した液滴はすばやくニードル誘導体によって下方に誘導され羽根によって筒体の上方にニードル誘導体の先端を中心に吹き上げられ、上昇途中で羽根に衝突、破壊して放出されるので受け皿に溜まる液体は少なく効率的な噴射ができ、遠くまで散布効果を高めることができ且つ安価にできる。
【００２０】
フアンヒ−タに本発明装置を利用する場合は、少ない部品でより微粒化した石油に着火することができ、より燃焼効率を高めることができる。
【００２１】
又水の微粒化においては、衝突壁への液滴衝突による液滴破壊によってマイナスイオンが発生し、森林浴に似た健康維持が期待される。
【００２２】
遠心力円盤に羽根を設けて上方へ送風自在とすることにより、散布効果を高めることができると共に、特別にファンを設けなくとも散布効果を高めることができ、安価に提供できる。
【図面の簡単な説明】
【図１】本発明に係る装置の縦断説明図。
【図２】遠心力円盤部分の縦断拡大部分説明図。
【図３】飛散防止フードの平面説明図。
【符号の説明】
１は筒体
２はモ−タ
３は遠心力円盤
４は受け皿
５は流通路
６は飛散防止フード
７は液体流下部
８、８は衝突壁
９は上向き円盤
９’は内底面
１０は空洞部
１１は逆凹条体
１１’は下頂部
１２は下向き円盤
１３は微小間隙
１４はカラ−
１５は遠心力による衝突蛇行流通路
１６は下部架体
１７は回転軸
１９はフード本体
２０，２０はニードル誘導体
２１は下部突出部
２２は調整ポンプ
２３は流下パイプ
２５は羽根
【図１】
0003579672.tif 000002
【図２】
0003579672.tif 000003
【図３】
0003579672.tif 000004